(57)【要約】  本発明は時間分割復信システムにおけるアップリンク伝送電力の確定方法を開示する。基地局が現在のアップリンク・ダウンリンク・サブフレーム割当方式を確定し、前記アップリンク・ダウンリンク・サブフレーム割当方式に対応するフレーム対応情報を取得し、前記フレーム対応情報によりダウンリンク・サブフレームを選択し、端末に対してアップリンク・サブフレームに対応する電力制御（ＴＰＣ）指示を送信し、端末が前記アップリンク・サブフレームを利用してデータを伝送する前に、現在のアップリンク・ダウンリンク・サブフレーム割当方式を確定し、前記アップリンク・ダウンリンク・サブフレーム割当方式に対応するフレーム対応情報を取得し、前記フレーム対応情報により前記ＴＰＣ指示を送信するダウンリンク・サブフレームを確定し、前記ダウンリンク・サブフレームより受信したＴＰＣ指示を取得し、前記ＴＰＣ指示により前記アップリンク・サブフレームを利用してデータ伝送を行う電力を確定する。又、本発明は、一種の時間分割復信データ伝送システム及び装置を開示する。本発明を採用する時間分割復信システムにより、フレーム対応情報によるＴＰＣ指示の送受信が可能になり、アップリンク電力制御は正確且つ有効的に行うようになる。【選択図】図２Ａ
2011520335.tif 000002
【特許請求の範囲】
【請求項１】
基地局が現在のアップリンク・ダウンリンク・サブフレーム割当方式を確定し、前記アップリンク・ダウンリンク・サブフレーム割当方式に対応するフレーム対応情報を取得し、前記フレーム対応情報によりダウンリンク・サブフレームを選択し、端末に対してアップリンク・サブフレームに対応する電力制御ＴＰＣ指示を送信することと、
端末が前記アップリンク・サブフレームを利用してデータを伝送する前に、現在のアップリンク・ダウンリンク・サブフレーム割当方式を確定し、前記アップリンク・ダウンリンク・サブフレーム割当方式に対応するフレーム対応情報を取得し、前記フレーム対応情報により前記アップリンク・サブフレームに対応するＴＰＣ指示を送信するダウンリンク・サブフレームを確定し、前記確定したダウンリンク・サブフレームより受信したＴＰＣ指示を取得し、前記ＴＰＣ指示により前記アップリンク・サブフレームを利用してデータ伝送を行う電力を確定することと
を含むことを特徴とする時間分割復信システムにおけるアップリンク伝送電力の確定方法。
【請求項２】
前記フレーム対応情報にアップリンク・サブフレーム標識とダウンリンク・サブフレーム標識の対応関係が含まれた場合、前記基地局がダウンリンク・サブフレームを選択し、端末に対してアップリンク・サブフレームに対応するＴＰＣ指示を送信することは、 
前記アップリンク・サブフレームの標識を取得し、前記対応関係により前記アップリンク・サブフレーム標識に対応するダウンリンク・サブフレーム標識を確定し、前記アップリンク・サブフレームの前にある前記ダウンリンク・サブフレーム標識に対応するダウンリンク・サブフレームを、端末に対して前記ＴＰＣ指示を送信するサブフレームとすることを含み、 
前記フレーム対応情報にアップリンク・サブフレーム標識とＴＰＣ制御遅延パラメータ値の対応関係が含まれた場合、前記基地局がダウンリンク・サブフレームを選択し、端末に対してアップリンク・サブフレームに対応するＴＰＣ指示を送信することは、
前記アップリンク・サブフレームの標識を取得し、前記対応関係により前記アップリンク・サブフレーム標識に対応するＴＰＣ制御遅延パラメータ値を確定し、前記アップリンク・サブフレームの前にあり、且つ前記アップリンク・サブフレームとの時間間隔が前記確定されたＴＰＣ制御遅延パラメータ値であるダウンリンク・サブフレームを確定し、当該ダウンリンク・サブフレームを端末に対して前記ＴＰＣ指示を送信するサブフレームとすることを含む、
ことを特徴とする請求項１記載の時間分割復信システムにおけるアップリンク伝送電力の確定方法。
【請求項３】
前記フレーム対応情報にアップリンク・サブフレーム標識とダウンリンク・サブフレーム標識の対応関係が含まれた場合、前記端末が前記ＴＰＣ指示を送信するダウンリンク・サブフレームを確定することは、
前記アップリンク・サブフレームの標識を取得し、前記対応関係により前記アップリンク・サブフレーム標識に対応するダウンリンク・サブフレーム標識を確定し、前記アップリンク・サブフレームの前にある前記ダウンリンク・サブフレーム標識に対応するダウンリンク・サブフレームを前記ＴＰＣ指示を送信するサブフレームとすることを含み、 
前記フレーム対応情報にアップリンク・サブフレーム標識とＴＰＣ制御遅延パラメータ値の対応関係が含まれた場合、前記端末が前記ＴＰＣ指示を送信するダウンリンク・サブフレームを確定することは、
前記アップリンク・サブフレームの標識を取得し、前記対応関係により前記アップリンク・サブフレーム標識に対応するＴＰＣ制御遅延パラメータ値を確定し、前記アップリンク・サブフレームの前にあり、且つ前記アップリンク・サブフレームとの時間間隔が前記確定されたＴＰＣ制御遅延パラメータ値であるダウンリンク・サブフレームを確定し、当該ダウンリンク・サブフレームを前記ＴＰＣ指示を送信するサブフレームとする、
ことを特徴とする請求項１記載の時間分割復信システムにおけるアップリンク伝送電力の確定方法。
【請求項４】
前記アップリンク・サブフレーム標識とダウンリンク・サブフレーム標識の対応関係に、アップリンク・サブフレームと当該アップリンク・サブフレームに対応するダウンリンク・サブフレームの間の時間間隔は、前記端末がダウンリンク制御シグナリングに対する処理遅延より大きいか等しいことを特徴とする請求項２又は３記載の時間分割復信システムにおけるアップリンク伝送電力の確定方法。
【請求項５】
前記アップリンク・サブフレーム標識とダウンリンク・サブフレーム標識の対応関係は、一対一の対応関係、一対多の対応関係、及び多対一の対応関係の中の一種又は二種以上を含み、
前記アップリンク・サブフレーム標識とＴＰＣ制御遅延パラメータ値の対応関係は、一対一の対応関係及び／又は一対多の対応関係を含む、
ことを特徴とする請求項２又は３記載の時間分割復信システムにおけるアップリンク伝送電力の確定方法。
【請求項６】
前記端末がダウンリンク制御シグナリングに対する処理遅延が３ｍｓである場合、前記アップリンク・サブフレーム標識とダウンリンク・サブフレーム標識の対応関係は、
アップリンク・ダウンリンク・サブフレーム割当方式０を採用する場合、アップリンク・サブフレーム２がダウンリンク・サブフレーム５又は特殊サブフレーム６に対応し、アップリンク・サブフレーム３が特殊サブフレーム６に対応し、アップリンク・サブフレーム４がダウンリンク・サブフレーム０に対応し、アップリンク・サブフレーム７がダウンリンク・サブフレーム０又は特殊サブフレーム１に対応し、アップリンク・サブフレーム８が特殊サブフレーム１に対応し、アップリンク・サブフレーム９がダウンリンク・サブフレーム５に対応し、
アップリンク・ダウンリンク・サブフレーム割当方式１を採用する場合、アップリンク・サブフレーム２が特殊サブフレーム６に対応し、アップリンク・サブフレーム３がダウンリンク・サブフレーム９に対応し、アップリンク・サブフレーム７が特殊サブフレーム1に対応し、アップリンク・サブフレーム８がダウンリンク・サブフレーム４に対応し、
アップリンク・ダウンリンク・サブフレーム割当方式２を採用する場合、アップリンク・サブフレーム２がダウンリンク・サブフレーム８に対応し、アップリンク・サブフレーム７がダウンリンク・サブフレーム３に対応し、
アップリンク・ダウンリンク・サブフレーム割当方式３を採用する場合、アップリンク・サブフレーム２がダウンリンク・サブフレーム８に対応し、アップリンク・サブフレーム３がダウンリンク・サブフレーム９に対応し、アップリンク・サブフレーム４がダウンリンク・サブフレーム０に対応し、
アップリンク・ダウンリンク・サブフレーム割当方式４を採用する場合、アップリンク・サブフレーム２がダウンリンク・サブフレーム８に対応し、アップリンク・サブフレーム３がダウンリンク・サブフレーム９に対応し、
アップリンク・ダウンリンク・サブフレーム割当方式５を採用する場合、アップリンク・サブフレーム２がダウンリンク・サブフレーム８に対応し、
アップリンク・ダウンリンク・サブフレーム割当方式６を採用する場合、アップリンク・サブフレーム２がダウンリンク・サブフレーム５に対応し、アップリンク・サブフレーム３が特殊サブフレーム６に対応し、アップリンク・サブフレーム４がダウンリンク・サブフレーム９に対応し、アップリンク・サブフレーム7がダウンリンク・サブフレーム０に対応し、アップリンク・サブフレーム８が特殊サブフレーム１に対応する、
ことを特徴とする請求項２又は３記載の時間分割復信システムにおけるアップリンク伝送電力の確定方法。
【請求項７】
アップリンク・ダウンリンク・サブフレーム割当方式０を採用する場合、アップリンク・サブフレーム２がマルチフレーム・スケジューリングの連続する２アップリンク・サブフレームの中の第二のサブフレームであれば、ダウンリンク・サブフレーム５に対応し、そうでなければ、特殊サブフレーム６に対応し、アップリンク・サブフレーム7がマルチフレーム・スケジューリングの連続する２アップリンク・サブフレームの中の第二のサブフレームであれば、ダウンリンク・サブフレーム０に対応し、そうでなければ、特殊サブフレーム1に対応する、 
ことを特徴とする請求項６記載の時間分割復信システムにおけるアップリンク伝送電力の確定方法。
【請求項８】
前記端末がダウンリンク制御シグナリングに対する処理遅延が３ｍｓである場合、前記アップリンク・サブフレーム標識とＴＰＣ制御遅延パラメータ値の対応関係は、
アップリンク・ダウンリンク・サブフレーム割当方式０を採用する場合、アップリンク・サブフレーム２に対応するＴＰＣ制御遅延パラメータ値は６又は７とし、アップリンク・サブフレーム３に対応するＴＰＣ制御遅延パラメータ値は７とし、アップリンク・サブフレーム４に対応するＴＰＣ制御遅延パラメータ値は４とし、アップリンク・サブフレーム7に対応するＴＰＣ制御遅延パラメータ値は６又は７とし、アップリンク・サブフレーム８に対応するＴＰＣ制御遅延パラメータ値は7とし、アップリンク・サブフレーム９に対応するＴＰＣ制御遅延パラメータ値は４とし、
アップリンク・ダウンリンク・サブフレーム割当方式１を採用する場合、アップリンク・サブフレーム２に対応するＴＰＣ制御遅延パラメータ値は６とし、アップリンク・サブフレーム３に対応するＴＰＣ制御遅延パラメータ値は４とし、アップリンク・サブフレーム7に対応するＴＰＣ制御遅延パラメータ値は６とし、アップリンク・サブフレーム８に対応するＴＰＣ制御遅延パラメータ値は４とし、
アップリンク・ダウンリンク・サブフレーム割当方式２を採用する場合、アップリンク・サブフレーム２に対応するＴＰＣ制御遅延パラメータ値は４とし、アップリンク・サブフレーム7に対応するＴＰＣ制御遅延パラメータ値は４とし、
アップリンク・ダウンリンク・サブフレーム割当方式３を採用する場合、アップリンク・サブフレーム２に対応するＴＰＣ制御遅延パラメータ値は４とし、アップリンク・サブフレーム３に対応するＴＰＣ制御遅延パラメータ値は４とし、アップリンク・サブフレーム４に対応するＴＰＣ制御遅延パラメータ値は４とし、
アップリンク・ダウンリンク・サブフレーム割当方式４を採用する場合、アップリンク・サブフレーム２に対応するＴＰＣ制御遅延パラメータ値は４とし、アップリンク・サブフレーム３に対応するＴＰＣ制御遅延パラメータ値は４とし、
アップリンク・ダウンリンク・サブフレーム割当方式５を採用する場合、アップリンク・サブフレーム２に対応するＴＰＣ制御遅延パラメータ値は４とし、
アップリンク・ダウンリンク・サブフレーム割当方式６を採用する場合、アップリンク・サブフレーム２に対応するＴＰＣ制御遅延パラメータ値は７とし、アップリンク・サブフレーム３に対応するＴＰＣ制御遅延パラメータ値は７とし、アップリンク・サブフレーム４に対応するＴＰＣ制御遅延パラメータ値は５とし、アップリンク・サブフレーム７に対応するＴＰＣ制御遅延パラメータ値は７とし、アップリンク・サブフレーム８に対応するＴＰＣ制御遅延パラメータ値は７とする、
ことを特徴とする請求項２又は３記載の時間分割復信システムにおけるアップリンク伝送電力の確定方法。
【請求項９】
アップリンク・ダウンリンク・サブフレーム割当方式０を採用する場合、アップリンク・サブフレーム２がマルチフレーム・スケジューリングの連続する２アップリンク・サブフレームの中の第一のサブフレームであれば、対応するＴＰＣダウンリンク制御遅延パラメータ値は６とし、そうでなければ、対応するＴＰＣダウンリンク制御遅延パラメータ値は７とし、アップリンク・サブフレーム７はマルチフレーム・スケジューリングの連続する２アップリンク・サブフレームの中の第一のサブフレームであれば、対応するＴＰＣダウンリンク制御遅延パラメータ値は６とし、そうでなければ、対応するＴＰＣダウンリンク制御遅延パラメータ値は７とする、
ことを特徴とする請求項８記載の時間分割復信システムにおけるアップリンク伝送電力の確定方法。
【請求項１０】
現在のアップリンク・ダウンリンク・サブフレーム割当方式を確定し、前記アップリンク・ダウンリンク・サブフレーム割当方式に対応するフレーム対応情報を取得し、前記フレーム対応情報によりダウンリンク・サブフレームを選択し、端末に対してアップリンク・サブフレームに対応する電力制御ＴＰＣ指示を送信する基地局と、
前記アップリンク・サブフレームを利用してデータを伝送する前に、現在のアップリンク・ダウンリンク・サブフレーム割当方式を確定し、前記アップリンク・ダウンリンク・サブフレーム割当方式に対応するフレーム対応情報を取得し、前記フレーム対応情報により前記アップリンク・サブフレームに対応するＴＰＣ指示を送信するダウンリンク・サブフレームを確定し、前記確定したダウンリンク・サブフレームより受信したＴＰＣ指示を取得し、前記ＴＰＣ指示により前記アップリンク・サブフレームを利用してデータ伝送を行う電力を確定する端末と
を含むことを特徴とする時間分割復信データ伝送システム。
【請求項１１】
現在のアップリンク・ダウンリンク・サブフレーム割当方式を確定し、前記アップリンク・ダウンリンク・サブフレーム割当方式に対応するフレーム対応情報を取得する構造ユニットと、
前記フレーム対応情報により端末に対して電力制御ＴＰＣ指示を送信するダウンリンク・サブフレームを選択する選択ユニットと、
前記選択したダウンリンク・サブフレームを利用して端末に対して前記ＴＰＣ指示を送信する送信ユニットと、
を含むことを特徴とする基地局。
【請求項１２】
前記選択ユニットは、
前記フレーム対応情報にアップリンク・サブフレーム標識とダウンリンク・サブフレーム標識の対応関係が含まれた場合、前記アップリンク・サブフレームの標識を取得し、前記対応関係により前記アップリンク・サブフレーム標識に対応するダウンリンク・サブフレーム標識を確定する標識ユニットと、
前記アップリンク・サブフレームの前にある前記確定されたダウンリンク・サブフレーム標識に対応するダウンリンク・サブフレームを、端末に対して前記ＴＰＣ指示を送信するサブフレームとする第一確定ユニットと、
を含むことを特徴とする請求項１１記載の基地局。
【請求項１３】
前記選択ユニットは、
前記フレーム対応情報にアップリンク・サブフレーム標識とＴＰＣ制御遅延パラメータ値の対応関係が含まれた場合、前記アップリンク・サブフレームの標識を取得し、前記対応関係により前記アップリンク・サブフレーム標識に対応するＴＰＣ制御遅延パラメータ値を確定するパラメータ・ユニットと、
前記アップリンク・サブフレームの前にあり、且つ前記アップリンク・サブフレームとの時間間隔が前記確定されたＴＰＣ制御遅延パラメータ値であるダウンリンク・サブフレームを確定し、当該ダウンリンク・サブフレームを端末に対して前記ＴＰＣ指示を送信するサブフレームとする第二確定ユニットと、
を含むことを特徴とする請求項１１記載の基地局。
【請求項１４】
アップリンク・サブフレームを利用してデータを伝送する前に、現在のアップリンク・ダウンリンク・サブフレーム割当方式を確定し、前記アップリンク・ダウンリンク・サブフレーム割当方式に対応するフレーム対応情報を取得する情報ユニットと、
前記フレーム対応情報により前記アップリンク・サブフレームに対応する電力制御ＴＰＣ指示を送信するダウンリンク・サブフレームを確定するサブフレーム・ユニットと、
前記確定されたダウンリンク・サブフレームより受信したＴＰＣ指示を取得する指示ユニットと、
前記ＴＰＣ指示により前記アップリンク・サブフレームを利用してデータを伝送する電力を確定する電力ユニットと、
を含むことを特徴とする端末。
【請求項１５】
前記サブフレーム・ユニットは、
前記フレーム対応情報にアップリンク・サブフレーム標識とダウンリンク・サブフレーム標識の対応関係が含まれた場合、前記アップリンク・サブフレームの標識を取得し、前記対応関係により前記アップリンク・サブフレーム標識に対応するダウンリンク・サブフレーム標識を確定する第一取得ユニットと、
前記アップリンク・サブフレームの前にある前記確定されたダウンリンク・サブフレーム標識に対応するダウンリンク・サブフレームを、前記アップリンク・サブフレームに対応するＴＰＣ指示を送信するサブフレームとする第一結果ユニットと、
を含むことを特徴とする請求項１４記載の端末。
【請求項１６】
前記サブフレーム・ユニットは、
前記フレーム対応情報にアップリンク・サブフレーム標識とＴＰＣ制御遅延パラメータ値の対応関係が含まれた場合、前記アップリンク・サブフレームの標識を取得し、前記対応関係により前記アップリンク・サブフレーム標識に対応するＴＰＣ制御遅延パラメータ値を確定する第二取得ユニットと、 
前記アップリンク・サブフレームの前にあり、且つ前記アップリンク・サブフレームとの時間間隔が前記確定されたＴＰＣ制御遅延パラメータ値であるダウンリンク・サブフレームを確定し、当該ダウンリンク・サブフレームを前記アップリンク・サブフレームに対応するＴＰＣ指示を送信するサブフレームとする第二結果ユニットと、
を含むことを特徴とする請求項１４記載の端末。
【発明の詳細な説明】
【技術分野】
【０００１】
本発明は無線伝送領域に関し、特に時間分割復信システムにおけるアップリンク伝送電力の確定方法、システム及び装置に関する。
【背景技術】
【０００２】
長期進化（ＬＴＥ）システムにおいて、アップリンク電力制御は、開ループと閉ループを結合する方式を採用し、開ループの部分は端末（ＵＥ）がアップリンクリソース割当、伝送フォーマット、パス消耗及び基地局よりブロードキャストするパラメータにより放射電力の調整を行い、閉ループの部分は基地局がＵＥに対して電力制御指示（ＴＰＣ）を送信することで、ＵＥのアップリンク放射電力の調整を実現する。
【０００３】
ＵＥのアップリンク共有チャネル（ＰＵＳＣＨ）における放射電力は基地局により決定するが、具体的な放射電力の計算はＵＥ側で行う。基地局はブロードキャスト・メッセージと無線リンク制御（ＲＲＣ）シグナリングなどのメッセージにより、ＵＥがアップリンク共有チャネルの電力制御を実行するための必要パラメータをＵＥに通知し、又、ダウンリンク制御チャネルによりＵＥのアップリンク放射電力に対して即時調整を行い、ＵＥは規格に定められた公式により現在のアップリンク共有チャネル放射電力を計算して電力調整を行う。
【０００４】
ＵＥがアップリンク・サブフレームiにおいて、ＰＵＳＣＨによりデータを伝送するための伝送電力ＰＰＵＳＣＨは以下の公式で確定する。
ＰＰＵＳＣＨ（ｉ）＝ｍｉｎ｛ＰＭＡＸ，１０ｌｏｇ１０（ＭＰＵＳＣＨ（ｉ））＋ＰＯ＿ＰＵＳＣＨ（ｊ）＋α・ＰＬ＋ΔＴＦ（ＴＦ（ｉ））＋ｆ（ｉ）｝[ｄＢｍ]
そのうち、
１．ＰＭＡＸはＵＥの等級で決める最大許容放射電力であり、
２．ＭＰＵＳＣＨ（ｉ）は第ｉのアップリンク・サブフレームに有効になり、ＰＵＳＣＨのために割り当てたリソースサイズであり、リソース・ブロック（ＲＢ）の数で表示し、
３．ＰＯ＿ＰＵＳＣＨ（ｊ）はＰＵＳＣＨの電力初期値であり、８ｂｉｔのセル専用正規化部ＰＯ＿ＮＯＭＩＮＡＬ＿ＰＵＳＣＨ（ｊ）と４ｂｉｔのＵＥ専用部ＰＯ＿ＵＥ＿ＰＵＳＣＨ（ｊ）の和で構成される。そのうち、ＰＯ＿ＮＯＭＩＮＡＬ＿ＰＵＳＣＨ（ｊ）は上層より通知され、（ｊ＝０と1）、且つ動的範囲が[−１２６，２４]ｄＢｍとし、粒径が１ｄＢとし、ＰＯ＿ＵＥ＿ＰＵＳＣＨ（ｊ）はＲＲＣにより配置され、（ｊ＝０と1）、動的範囲を[−８，７]ｄＢとし、粒径を１ｄＢとする。ＰＵＳＣＨ伝送/再送が配置済みのスケジューリング許可に対応する場合、ｊ＝０とし、ＰＵＳＣＨ伝送/再送は受信された、新しいパケット伝送スケジューリング許可を含み、ＤＣＩフォーマットが０であるＰＤＣＣＨに対応する場合、ｊ＝１とし、
４．α∈{０，０．４，０．５,０．６，０．７，０．８，０．９，１}は経路消耗補償因子であり、セル専用パラメータであり、上層シグナリングが３ｂｉｔにより指示し、
５．ＰＬはＵＥが測定したダウンリンク経路消耗であり、
６．ＫＳ＝１．２５の場合、ΔＴＦ（ＴＦ（ｉ））＝１０ｌｏｇ１０（２ＭＰＲ・ＫＳ−１）とし、ＫＳ＝０の場合、ΔＴＦ（ＴＦ（ｉ））＝０とする。そのうち、ＫＳはセル専用パラメータであり、ＲＲＣシグナリングにより指示する。又、公式において、
ＴＦ（ｉ）はサブフレームｉにおいて有効になったＰＵＳＣＨ伝送フォーマットであり、
ＭＰＲ＝ｍｏｄｕｌａｔｉｏｎ×ｃｏｄｉｎｇ  ｒａｔｅ＝ＮＩＮＦＯ／ＮＲＥとし、そのうち、ＮＩＮＦＯは情報ビット数であり、ＮＲＥはサブフレームｉの伝送フォーマットＴＦ（ｉ）とリソース割り当てサイズＭＰＵＳＣＨ（ｉ）で決めるリソースユニット数である。
【０００５】
７．現在のＰＵＳＣＨ電力制御調整状態はｆ（ｉ）より提供され、その定義は以下の二種であり、
第一種の場合、累積調整方式を採用すれば、
ｆ（ｉ）＝ｆ（ｉ−１）＋δＰＵＳＣＨ（ｉ−ＫＰＵＳＣＨ）とし、そのうち、
（１）ｆ（０）＝０，ＫＰＵＳＣＨ＝４とし、
（２）δＰＵＳＣＨは累積修正値であり、デコードにより第ｉ−ＫＰＵＳＣＨのサブフレームより受信されたＴＰＣ指示から取得し、第ｉ−ＫＰＵＳＣＨのサブフレームは第ｉのサブフレームよりＫＰＵＳＣＨ個のサブフレーム長ほど早いサブフレームを示し、例えば、ｉが１０である場合、デコードにより第６サブフレームより受信したＴＰＣ指示からδＰＵＳＣＨを取得し、
（３）ＴＰＣ指示をデコードできなかった場合、又はＵＥがＤＲＸ状態にあった場合、δＰＵＳＣＨ＝０ｄＢとし、
（４）累積修正値δＰＵＳＣＨがＤＣＩフォーマット０を持つＰＵＳＣＨより指示される場合、該当する値の集合は［−１，０，１，３］であり、
（５）累積修正値δＰＵＳＣＨはＤＣＩフォーマット３／３Ａを持つＰＵＳＣＨより指示される場合、該当する値の集合は［−１，１］又は［−１，０，１，３］であり、具体的にどちらかを選択するか、上層より半静的に配置し、
（６）ＵＥが最大放射電力になった場合、「プラス」のＴＰＣ指示は累積しない、
（７）ＵＥが最小放射電力になった場合、「マイナス」のＴＰＣ指示は累積しない、
（８）以下ａ〜ｅの場合にＵＥは、ＴＰＣ指示の累積を再配置する必要がある。
ａ．セル更新を行う際
ｂ．ＲＲＣ活性化状態に入る／離れる際
ｃ．絶対値方式のＴＰＣ指示を受信した際
ｄ．ＲＲＣより通知されたＰＯ＿ＵＥ＿ＰＵＳＣＨ（ｊ）を受信した際
ｅ．同期/再同期状態にある場合
【０００６】
第二種の場合、絶対調整方式を採用すれば、ｆ（ｉ）＝δＰＵＳＣＨ（ｉ−ＫＰＵＳＣＨ）とし、そのうち、
（１）δＰＵＳＣＨは絶対修正値であり、デコードにより第ｉ−ＫＰＵＳＣＨのサブフレームより受信したＴＰＣ指示から取得し、第ｉ−ＫＰＵＳＣＨのサブフレームは、第ｉのサブフレームよりＫＰＵＳＣＨ個のサブフレーム長ほど早いサブフレームを表示し、
（２）ＫＰＵＳＣＨ＝４とし、
（３）絶対修正値δＰＵＳＣＨはＤＣＩフォーマット０を持つＰＤＣＣＨより指示し、該当する値取り集合が［−４，−１，１，４］であり、
（４）ＴＰＣ指示をデコードできなかった場合、又はＵＥがＤＲＸ状態にあった場合、ｆ（ｉ）＝ｆ（ｉ−１）とする。
【０００７】
具体的に上述した累積調整方式を採用するか、或いは絶対調整方式を採用するかは、ＵＥがＲＲＣの指示により選択する。
【０００８】
前記ＫＰＵＳＣＨはＰＵＳＣＨのＴＰＣ制御遅延パラメータであり、第iのサブフレームがアップリンクデータを送信する際に利用するＴＰＣは、基地局が第ｉ−ＫＰＵＳＣＨのサブフレームに含まれた制御シグナリングにより送信したものである。周波数分割復信（ＦＤＤ）システムに対して、ＵＥがダウンリンク制御シグナリングに対する処理遅延は３ｍｓ以内で、そのため、ＫＰＵＳＣＨ＝４とする。
【０００９】
しかし、時間分割復信（ＴＤＤ）システムに対して、多種のアップリンク・ダウンリンク・サブフレーム割当方式（図１に示す）、及び１つのスケジューリング・シグナリングで複数のアップリンク・サブフレームをスケジューリングするというマルチフレーム・スケジューリングの場合が存在するため、ＴＰＣ制御遅延は確定の値が取られない。又、現在はＴＤＤシステムにおけるＴＰＣ制御遅延の確定方法が提供されておらず、アップリンク・サブフレームとＴＰＣを伝送するダウンリンク・サブフレーム間の対応関係は確立できない。そのため、端末があるアップリンク・サブフレームのデータ伝送に対して電力制御を行う際、どのダウンリンク・サブフレームよりＴＰＣ指示を取得すべきか確定できず、更に、ＴＰＣ指示に含まれたδＰＵＳＣＨパラメータにより伝送電力を確定することができない。即ち、ＴＤＤシステムにおけるアップリンク電力制御は正確且つ有効的に行うことができない。
【００１０】
図１は従来のＴＤＤシステムにおける０−６という七種のアップリンク・ダウンリンク・サブフレーム割当方式を示す。
【００１１】
方式０−２はスイッチポイント周期が５ｍｓであるアップリンク・ダウンリンク・サブフレーム割当方式であり、そのうち、
方式０の各半フレームは１個のダウンリンク・サブフレーム（Ｄ）、１個の特殊サブフレーム（Ｓ）と３個のアップリンク・サブフレーム（Ｕ）より構成され、
方式1の各半フレームは２個のダウンリンク・サブフレーム、１個の特殊サブフレームと２個のアップリンク・サブフレームより構成され、
方式２の各半フレームは３個のダウンリンク・サブフレーム、１個の特殊サブフレームと１個のアップリンク・サブフレームより構成される。
【００１２】
方式３−６はスイッチポイント周期が１０ｍｓであるアップリンク・ダウンリンク・サブフレーム割当方式であり、そのうち、
方式３の各半フレームは６個のダウンリンク・サブフレーム（Ｄ）、１個の特殊サブフレーム（Ｓ）と３個のアップリンク・サブフレーム（Ｕ）より構成され、
方式４の各半フレームは7個のダウンリンク・サブフレーム、１個の特殊サブフレームと２個のアップリンク・サブフレームより構成され、
方式５の各半フレームは８個のダウンリンク・サブフレーム、１個の特殊サブフレームと１個のアップリンク・サブフレームより構成され、
方式６の各半フレームは３個のダウンリンク・サブフレーム、２個の特殊サブフレームと５個のアップリンク・サブフレームより構成される。
特殊サブフレームはダウンリンク特殊タイムスロット（ＤｗＰＴＳ）、スイッチポイント・タイムスロット（ＧＰ）とアップリンク特殊タイムスロットより構成される。
【発明の概要】
【発明が解決しようとする課題】
【００１３】
本発明の実施形態は、時間分割復信システムにおけるアップリンク伝送電力の確定方法、システム及び装置を提供し、従来のＴＤＤシステムにおいて、アップリンク電力制御が正確且つ有効的に行われない問題点を解決する。
【課題を解決するための手段】
【００１４】
本発明に係る実施形態は、時間分割復信システムにおけるアップリンク伝送電力の確定方法を提供し、
基地局が現在のアップリンク・ダウンリンク・サブフレーム割当方式を確定し、前記アップリンク・ダウンリンク・サブフレーム割当方式に対応するフレーム対応情報を取得し、前記フレーム対応情報によりダウンリンク・サブフレームを選択し、端末に対してアップリンク・サブフレームに対応する電力制御ＴＰＣ指示を送信することと、
端末が前記アップリンク・サブフレームを利用してデータを伝送する前、現在のアップリンク・ダウンリンク・サブフレーム割当方式を確定し、前記アップリンク・ダウンリンク・サブフレーム割当方式に対応するフレーム対応情報を取得し、前記フレーム対応情報により前記アップリンク・サブフレームに対応するＴＰＣ指示を送信するダウンリンク・サブフレームを確定し、前記確定したダウンリンク・サブフレームより受信したＴＰＣ指示を取得し、又、前記ＴＰＣ指示により前記アップリンク・サブフレームを利用してデータ伝送を行う電力を確定することと、
を含む。
【００１５】
本発明に係る実施形態は時間分割復信データ伝送システムを提供し、
現在のアップリンク・ダウンリンク・サブフレーム割当方式を確定し、前記アップリンク・ダウンリンク・サブフレーム割当方式に対応するフレーム対応情報を取得し、前記フレーム対応情報によりダウンリンク・サブフレームを選択し、端末に対してアップリンク・サブフレームに対応する電力制御ＴＰＣ指示を送信する基地局と、
前記アップリンク・サブフレームを利用してデータを伝送する前、現在のアップリンク・ダウンリンク・サブフレーム割当方式を確定し、前記アップリンク・ダウンリンク・サブフレーム割当方式に対応するフレーム対応情報を取得し、前記フレーム対応情報により前記アップリンク・サブフレームに対応するＴＰＣ指示を送信するダウンリンク・サブフレームを確定し、前記確定したダウンリンク・サブフレームより受信したＴＰＣ指示を取得し、そして前記ＴＰＣ指示により前記アップリンク・サブフレームを利用してデータ伝送を行う電力を確定する端末と
を含む。
【００１６】
本発明に係る実施形態は、一種の基地局を提供し、
現在のアップリンク・ダウンリンク・サブフレーム割当方式を確定し、前記アップリンク・ダウンリンク・サブフレーム割当方式に対応するフレーム対応情報を取得する構造ユニットと、
前記フレーム対応情報により端末に対して電力制御ＴＰＣ指示を送信するダウンリンク・サブフレームを選択する選択ユニットと、
前記選択されたダウンリンク・サブフレームを利用して端末に対して前記ＴＰＣ指示を送信する送信ユニットと
を含む。
【００１７】
本発明に係る実施形態は、一種の端末を提供し、
アップリンク・サブフレームを利用してデータを伝送する前、現在のアップリンク・ダウンリンク・サブフレーム割当方式を確定し、前記アップリンク・ダウンリンク・サブフレーム割当方式に対応するフレーム対応情報を取得する情報ユニットと、
前記フレーム対応情報により前記アップリンク・サブフレームに対応する電力制御ＴＰＣ指示を送信するダウンリンク・サブフレームを確定するサブフレーム・ユニットと、
前記確定されたダウンリンク・サブフレームより受信したＴＰＣ指示を取得する指示ユニットと、
前記ＴＰＣ指示により前記アップリンク・サブフレームを利用してデータを伝送する電力を確定する電力ユニットと、
を含む。
【発明の効果】
【００１８】
本発明の実施形態において、基地局は配置したサブフレーム対応情報によりダウンリンク・サブフレームを選択してＴＰＣ指示を送信し、端末は配置したサブフレーム対応情報により、対応するダウンリンク・サブフレームより受信したＴＰＣ指示を取得し、また、当該ＴＰＣ指示により電力確定を行う。そうすれば、ＴＤＤシステムにおいて、フレーム対応情報によりＴＰＣ指示を送信・受信することが可能になり、アップリンク電力制御が正確且つ有効的に行うようになる。
【図面の簡単な説明】
【００１９】
【図１】従来技術におけるＬＴＥ ＴＤＤシステムのアップリンク・ダウンリンク・サブフレーム割当方式のイメージを示す図である。
【図２Ａ】本発明に係る実施形態における方法のフロー図である。
【図２Ｂ】本発明に係る実施形態におけるフレーム対応情報の配置イメージを示す図である。
【図２Ｃ】本発明に係る実施形態におけるフレーム対応情報の配置イメージを示す図である。
【図３】本発明に係る実施形態におけるシステムの構造イメージを示す図である。
【図４】本発明に係る実施形態における基地局の構造イメージを示す図である。
【図５】本発明に係る実施形態における端末の構造イメージを示す図である。
【発明を実施するための形態】
【００２０】
ＴＤＤシステムにおけるアップリンク電力制御を正確且つ有効的に行わせるため、本発明に係る実施形態はＴＤＤシステムにおけるアップリンク伝送電力の確定方法を提供し、本方法において、基地局は配置情報によりダウンリンク・サブフレームを選択してＴＰＣ指示を送信し、端末は配置情報により対応するダウンリンク・サブフレームから受信したＴＰＣ指示を取得し、又、当該ＴＰＣ指示により電力確定を行う。
【００２１】
図２Ａを参照して、本発明に係る実施形態におけるＴＤＤシステム内のアップリンク伝送電力の確定方法は具体的に以下のステップを含む。
【００２２】
ステップ１０：基地局は現在のデータ伝送が利用するアップリンク・ダウンリンク・サブフレーム割当方式を取得し、前記アップリンク・ダウンリンク・サブフレーム割当方式に対応するフレーム対応情報を取得する。
【００２３】
ここで、データ伝送に利用するアップリンク・ダウンリンク・サブフレーム割当方式は、図１に示した７種のアップリンク・ダウンリンク・サブフレーム割当方式を含むが、これに限られない。それぞれのアップリンク・ダウンリンク・サブフレーム割当方式毎に一組のフレーム対応情報に対応する。フレーム対応情報を取得する際、ローカルの配置情報より取得しても良いし、他の記憶された情報より取得しても良い。
【００２４】
ステップ１１：基地局は取得したフレーム対応情報により、ダウンリンク・サブフレームを選択し、端末に対してアップリンク・サブフレームに対応する電力制御（ＴＰＣ）指示を送信する。
【００２５】
ここで、フレーム対応情報は具体的には、アップリンク・サブフレーム標識とダウンリンク・サブフレーム標識の対応関係であっても良いし、アップリンク・サブフレーム標識とＴＰＣ制御遅延パラメータ値の対応関係であっても良い。
【００２６】
前記フレーム対応情報がアップリンク・サブフレーム標識とダウンリンク・サブフレーム標識の対応関係である場合に、基地局がフレーム対応情報によりダウンリンク・サブフレームを選択して、端末に対してアップリンク・サブフレームに対応するＴＰＣ指示を送信する具体的な方法は次のようである。 
【００２７】
先ず、前記アップリンク・サブフレームの標識を取得し、前記対応関係により前記アップリンク・サブフレーム標識に対応するダウンリンク・サブフレーム標識を確定し、次に、前記アップリンク・サブフレームの前にある前記ダウンリンク・サブフレーム標識に対応するダウンリンク・サブフレームを、端末に対して前記ＴＰＣ指示を送信するサブフレームとし、又、当該サブフレームにより端末に対して前記ＴＰＣ指示を送信する。 
【００２８】
前記フレーム対応情報がアップリンク・サブフレーム標識とＴＰＣ制御遅延パラメータ値の対応関係である場合に、基地局はフレーム対応情報によりダウンリンク・サブフレームを選択して、端末に対してアップリンク・サブフレームに対応するＴＰＣ指示を送信する具体的な方法は次のようである。
【００２９】
先ず、前記アップリンク・サブフレームの標識を取得し、前記対応関係により前記アップリンク・サブフレーム標識に対応するＴＰＣ制御遅延パラメータ値を確定し、次に、前記アップリンク・サブフレームの前にあり、且つ前記アップリンク・サブフレームとの時間間隔が前記確定されたＴＰＣ制御遅延パラメータ値であるダウンリンク・サブフレームを確定し、当該ダウンリンク・サブフレームを端末に対して前記ＴＰＣ指示を送信するサブフレームとし、又、当該サブフレームにより端末に対して前記ＴＰＣ指示を送信する。
【００３０】
ステップ１２：端末が前記アップリンク・サブフレームを利用してデータを伝送する前に、現在のデータ伝送が利用するアップリンク・ダウンリンク・サブフレーム割当方式を確定し、前記アップリンク・ダウンリンク・サブフレーム割当方式に対応するフレーム対応情報を取得する。
【００３１】
ここで、データ伝送に利用するアップリンク・ダウンリンク・サブフレーム割当方式は、図１に示した７種のアップリンク・ダウンリンク・サブフレーム割当方式を含むが、これに限られない。それぞれのアップリンク・ダウンリンク・サブフレーム割当方式毎に一組のフレーム対応情報に対応する。
【００３２】
ステップ１３：端末は取得したフレーム対応情報により、前記アップリンク・サブフレームに対応するＴＰＣ指示を送信するダウンリンク・サブフレームを確定する。
【００３３】
同様に、ここのフレーム対応情報は具体的には、アップリンク・サブフレーム標識とダウンリンク・サブフレーム標識の対応関係であっても良いし、アップリンク・サブフレーム標識とＴＰＣ制御遅延パラメータ値の対応関係であっても良い。
【００３４】
前記フレーム対応情報がアップリンク・サブフレーム標識とダウンリンク・サブフレーム標識の対応関係である場合に、端末が前記ＴＰＣ指示を送信するダウンリンク・サブフレームを確定する具体な方法は次のようである。
【００３５】
先ず、前記アップリンク・サブフレームの標識を取得し、前記対応関係により前記アップリンク・サブフレーム標識に対応するダウンリンク・サブフレーム標識を確定し、次に、前記アップリンク・サブフレームの前にある前記ダウンリンク・サブフレーム標識に対応するダウンリンク・サブフレームを前記ＴＰＣ指示を送信するサブフレームとする。 
【００３６】
前記フレーム対応情報がアップリンク・サブフレーム標識とＴＰＣ制御遅延パラメータ値の対応関係である場合に、端末が前記ＴＰＣ指示を送信するダウンリンク・サブフレームを確定する具体な方法は次のようである。
【００３７】
先ず、前記アップリンク・サブフレームの標識を取得し、前記対応関係により前記アップリンク・サブフレーム標識に対応するＴＰＣ制御遅延パラメータ値を確定し、次に、前記アップリンク・サブフレームの前にあり、且つ前記アップリンク・サブフレームとの時間間隔が前記確定されたＴＰＣ制御遅延パラメータ値であるダウンリンク・サブフレームを確定し、当該ダウンリンク・サブフレームを前記ＴＰＣ指示を送信するサブフレームに確定する。
【００３８】
ステップ１４：端末が前記確定したダウンリンク・サブフレームより受信したＴＰＣ指示を取得し、前記ＴＰＣ指示により前記アップリンク・サブフレームを利用してデータ伝送を行う電力を確定する。
【００３９】
具体的には、先ず、端末は前記ダウンリンク・サブフレームより受信したＴＰＣ指示をデコードし、調整修正値δＰＵＳＣＨを取得し、
次は、累積調整方式又は絶対調整方式を採用して、現在のＰＵＳＣＨ電力調整状態ｆ（ｉ）の値を取得し、即ち、
累積調整方式を採用する場合、ｆ（ｉ）＝ｆ（ｉ−１）＋δＰＵＳＣＨ（ｉ−ＫＰＵＳＣＨ）とし、
そのうち、ｆ（０）＝０とし、δＰＵＳＣＨ（ｉ−ＫＰＵＳＣＨ）はサブフレームｉ−ＫＰＵＳＣＨより受信したδＰＵＳＣＨ値を表し、サブフレームｉ−ＫＰＵＳＣＨは現在アップリンク・サブフレームiの前にあり、且つ当該アップリンク・サブフレームとの距離がＫＰＵＳＣＨであるダウンリンク・サブフレームを表す。δＰＵＳＣＨ（ｉ−ＫＰＵＳＣＨ）の具体な値は、上述デコードで取得したδＰＵＳＣＨ値である。
【００４０】
絶対調整方式を採用する場合、ｆ（ｉ）＝δＰＵＳＣＨ（ｉ−ＫＰＵＳＣＨ）とし、
そのうち、δＰＵＳＣＨ（ｉ−ＫＰＵＳＣＨ）はサブフレームｉ−ＫＰＵＳＣＨより受信したδＰＵＳＣＨ値を表示し、サブフレームｉ−ＫＰＵＳＣＨは現在アップリンク・サブフレームｉの前にあり、且つ当該アップリンク・サブフレームとの距離がＫＰＵＳＣＨであるダウンリンク・サブフレームを表す。δＰＵＳＣＨ（ｉ−ＫＰＵＳＣＨ）の具体な値は、上述デコードで取得したδＰＵＳＣＨの値である。
【００４１】
最後に、現在の公式：
ＰＰＵＳＣＨ（ｉ）＝ｍｉｎ｛ＰＭＡＸ，１０ｌｏｇ１０（ＭＰＵＳＣＨ（ｉ））＋ＰＯ＿ＰＵＳＣＨ（ｊ）＋α・ＰＬ＋ΔＴＦ（ＴＦ（ｉ））＋ｆ（ｉ）｝
により、現在のアップリンク・サブフレームを利用してデータを伝送する電力を確定する。
【００４２】
本発明において、配置したサブフレーム対応情報は、端末がダウンリンク制御シグナリングを処理する遅延要求を満足しなければならない。そのため、サブフレーム対応情報がアップリンク・サブフレーム標識とダウンリンク・サブフレーム標識の対応関係である場合、対応関係毎におけるアップリンク・サブフレームとそれと対応するダウンリンク・サブフレームの間の時間間隔は、端末がダウンリンク制御シグナリングを処理する遅延時間より大きいか等しい。例えば、端末がダウンリンク制御シグナリングを処理する遅延時間が３ｍｓ以内であれば、対応関係におけるアップリンク・サブフレームとそれと対応するダウンリンク・サブフレームの間の時間間隔は３ｍｓより大きいか等しいことになる。現在の１サブフレームの時間長は１ｍｓであり、対応関係におけるアップリンク・サブフレームとそれと対応するダウンリンク・サブフレームの間は最低４サブフレームのを時間間隔とする。
【００４３】
同様に、サブフレーム対応情報がアップリンク・サブフレーム標識とＴＰＣ制御遅延パラメータ値の対応関係である場合、対応関係におけるＴＰＣ制御遅延パラメータ値により確定されたダウンリンク・サブフレームが当該対応関係におけるアップリンク・サブフレームとの間の時間間隔は、端末がダウンリンク制御シグナリングを処理する遅延より大きいか等しい。
【００４４】
本発明において、配置したサブフレーム対応情報はシングルフレーム・スケジューリングの場合にも対応するし、マルチフレーム・スケジューリングの場合にも対応する。シングルフレーム・スケジューリングとは、１ダウンリンク・サブフレームに含まれた制御シグナリングがその後の１アップリンク・サブフレームをスケジューリングすることを指し、マルチフレーム・スケジューリングとは、１ダウンリンク・サブフレームに含まれた制御シグナリングがその後の連続する複数のアップリンク・サブフレームをスケジューリングして、当該複数のアップリンク・サブフレームのデータ伝送は全て前記ダウンリンク・サブフレームより送信されたＴＰＣ指示を利用して電力を確定することを指す。
【００４５】
シングルフレーム・スケジューリングとマルチフレーム・スケジューリングに対応していること、ＴＤＤシステムにおけるアップリンク・サブフレームとダウンリンク・サブフレームの非対称であることなどのため、前記アップリンク・サブフレーム標識とダウンリンク・サブフレーム標識の対応関係は、一対一の対応関係・一対多の対応関係・多対一の対応関係の中の一種又は二種以上を含み、前記アップリンク・サブフレーム標識とＴＰＣ制御遅延パラメータ値の対応関係は、一対一の対応関係及び／又は一対多の対応関係を含む。
【００４６】
以下は具体的な例で本発明の方法を説明する。
【００４７】
端末がダウンリンク制御シグナリングに対する処理遅延が３ｍｓで、１サブフレームの時間長が１ｍｓとし、アップリンク・ダウンリンク・サブフレーム割当方式０に対してマルチフレーム・スケジューリングを採用し、１ダウンリンク・サブフレームに含まれたＴＰＣ指示でその後の３サブフレームを遅延した後の最初の連続する２アップリンク・サブフレームをスケジューリングするという基準によりサブフレーム対応情報の配置を行い、アップリンク・ダウンリンク・サブフレーム割当方式１−６に対して、シングルフレーム・スケジューリングを採用し、１ダウンリンク・サブフレームに含まれたＴＰＣ指示でその後の３サブフレームを遅延した後の最初のアップリンク・サブフレームをスケジューリングするという基準及びＴＰＣ指示を平均分布させるという基準により、サブフレーム対応情報を配置することを想定する。アップリンク・ダウンリンク・サブフレーム割当方式０−６におけるアップリンク・ダウンリンク・サブフレームの割当方式は図１を参照する。
【００４８】
図２Ｂは、サブフレーム対応情報をアップリンク・サブフレーム標識とダウンリンク・サブフレーム標識の対応関係で表すイメージ図であり、Ｔｘ位置は第ｘのアップリンク・サブフレームデータ伝送電力が利用するＴＰＣ指示を現在のダウンリンク・サブフレームにより送信することを確定することを表し、Ｔｘｙ位置は、連続する２アップリンク・サブフレームｘとｙのデータ伝送電力が利用するＴＰＣ指示を現在のダウンリンク・サブフレームにより送信することを確定することを表す。
具体的には、
アップリンク・ダウンリンク・サブフレーム割当方式０に対して、アップリンク・サブフレーム２がダウンリンク・サブフレーム５又は特殊サブフレーム６に対応し、アップリンク・サブフレーム３が特殊サブフレーム６に対応し、アップリンク・サブフレーム４がダウンリンク・サブフレーム０に対応し、アップリンク・サブフレーム７がダウンリンク・サブフレーム０又は特殊サブフレーム１に対応し、アップリンク・サブフレーム８が特殊サブフレーム１に対応し、アップリンク・サブフレーム９がダウンリンク・サブフレーム５に対応し、
アップリンク・ダウンリンク・サブフレーム割当方式１に対して、アップリンク・サブフレーム２が特殊サブフレーム６に対応し、アップリンク・サブフレーム３がダウンリンク・サブフレーム９に対応し、アップリンク・サブフレーム７が特殊サブフレーム１に対応し、アップリンク・サブフレーム８がダウンリンク・サブフレーム４に対応し、
アップリンク・ダウンリンク・サブフレーム割当方式２に対して、アップリンク・サブフレーム２がダウンリンク・サブフレーム８に対応し、アップリンク・サブフレーム７がダウンリンク・サブフレーム３に対応し、
アップリンク・ダウンリンク・サブフレーム割当方式３に対して、アップリンク・サブフレーム２がダウンリンク・サブフレーム８に対応し、アップリンク・サブフレーム３がダウンリンク・サブフレーム９に対応し、アップリンク・サブフレーム４がダウンリンク・サブフレーム０に対応し、
アップリンク・ダウンリンク・サブフレーム割当方式４に対して、アップリンク・サブフレーム２がダウンリンク・サブフレーム８に対応し、アップリンク・サブフレーム３がダウンリンク・サブフレーム９に対応し、
アップリンク・ダウンリンク・サブフレーム割当方式５に対して、アップリンク・サブフレーム２がダウンリンク・サブフレーム８に対応し、
アップリンク・ダウンリンク・サブフレーム割当方式６に対して、アップリンク・サブフレーム２がダウンリンク・サブフレーム５に対応し、アップリンク・サブフレーム３が特殊サブフレーム６に対応し、アップリンク・サブフレーム４がダウンリンク・サブフレーム９に対応し、アップリンク・サブフレーム７がダウンリンク・サブフレーム０に対応し、アップリンク・サブフレーム８が特殊サブフレーム１に対応する。
【００４９】
アップリンク・ダウンリンク・サブフレーム割当方式０を採用することを想定すると、端末が現在のアップリンク・サブフレーム７を利用してデータを伝送する前に、配置したアップリンク・サブフレーム標識とダウンリンク・サブフレーム標識の対応関係により、アップリンク・サブフレーム７がダウンリンク・サブフレーム０と特殊サブフレーム１に対応することを確定し、そして、端末がダウンリンク・サブフレーム０又は特殊サブフレーム１より受信したＴＰＣ指示を取得しようとし、取得したＴＰＣ指示により、アップリンク・サブフレーム7を利用してデータ伝送を行う電力を確定する。
【００５０】
図２Ｃはサブフレーム対応情報をアップリンク・サブフレーム標識とＴＰＣ制御遅延パラメータ値の対応関係で表示するイメージ図である。ｘ／ｙは次のように解釈する。当該アップリンク・サブフレームがマルチフレーム・スケジューリングにおける第一のアップリンク・サブフレームであれば、ＴＰＣ制御遅延パラメータＫＰＵＳＣＨ＝ｘとし、当該アップリンク・サブフレームがマルチフレーム・スケジューリングにおける第二のアップリンク・サブフレームであれば、ＫＰＵＳＣＨ＝ｙとし、具体的には、
アップリンク・ダウンリンク・サブフレーム割当方式０に対して、アップリンク・サブフレーム２に対応するＴＰＣ制御遅延パラメータ値は６又は７とし、アップリンク・サブフレーム３に対応するＴＰＣ制御遅延パラメータ値は７とし、アップリンク・サブフレーム４に対応するＴＰＣ制御遅延パラメータ値は４とし、アップリンク・サブフレーム7に対応するＴＰＣ制御遅延パラメータ値は６又は７とし、アップリンク・サブフレーム８に対応するＴＰＣ制御遅延パラメータ値は７とし、アップリンク・サブフレーム９に対応するＴＰＣ制御遅延パラメータ値は４とし、
アップリンク・ダウンリンク・サブフレーム割当方式１に対して、アップリンク・サブフレーム２に対応するＴＰＣ制御遅延パラメータ値は６とし、アップリンク・サブフレーム３に対応するＴＰＣ制御遅延パラメータ値は４とし、アップリンク・サブフレーム７に対応するＴＰＣ制御遅延パラメータ値は６とし、アップリンク・サブフレーム８に対応するＴＰＣ制御遅延パラメータ値は４とし、
アップリンク・ダウンリンク・サブフレーム割当方式２に対して、アップリンク・サブフレーム２に対応するＴＰＣ制御遅延パラメータ値は４とし、アップリンク・サブフレーム７に対応するＴＰＣ制御遅延パラメータ値は４とし、
アップリンク・ダウンリンク・サブフレーム割当方式３に対して、アップリンク・サブフレーム２に対応するＴＰＣ制御遅延パラメータ値は４とし、アップリンク・サブフレーム３に対応するＴＰＣ制御遅延パラメータ値は４とし、アップリンク・サブフレーム４に対応するＴＰＣ制御遅延パラメータ値は４とし、
アップリンク・ダウンリンク・サブフレーム割当方式４に対して、アップリンク・サブフレーム２に対応するＴＰＣ制御遅延パラメータ値は４とし、アップリンク・サブフレーム３に対応するＴＰＣ制御遅延パラメータ値は４とし、
アップリンク・ダウンリンク・サブフレーム割当方式５に対して、アップリンク・サブフレーム２に対応するＴＰＣ制御遅延パラメータ値は４とし、
アップリンク・ダウンリンク・サブフレーム割当方式６に対して、アップリンク・サブフレーム２に対応するＴＰＣ制御遅延パラメータ値は７とし、アップリンク・サブフレーム３に対応するＴＰＣ制御遅延パラメータ値は７とし、アップリンク・サブフレーム４に対応するＴＰＣ制御遅延パラメータ値は５とし、アップリンク・サブフレーム７に対応するＴＰＣ制御遅延パラメータ値は７とし、アップリンク・サブフレーム８に対応するＴＰＣ制御遅延パラメータ値は７とする。
【００５１】
アップリンク・ダウンリンク・サブフレーム割当方式０を採用することを想定すると、端末が現在のアップリンク・サブフレーム７を利用してデータを伝送する前に、配置したアップリンク・サブフレーム標識とＴＰＣ制御遅延パラメータ値の対応関係により、アップリンク・サブフレーム７に対応するＴＰＣ制御遅延パラメータ値が６又は７であることを確定し、次に、アップリンク・サブフレーム７の前にあり、且つアップリンク・サブフレーム７との距離が６であるものは特殊サブフレーム１であり、アップリンク・サブフレーム７との距離が７であるものはダウンリンク・サブフレーム０であることを確定し、そして、端末がダウンリンク・サブフレーム０又は特殊サブフレーム１より受信したＴＰＣ指示を取得しようとし、取得したＴＰＣ指示によりアップリンク・サブフレーム７を利用してデータを伝送する電力を確定する。
【００５２】
図３を参照し、本発明に係る実施形態は、一種の時間分割復信データ伝送システムを提供し、当該システムは基地局３０と端末３１を含み、そのうち、
基地局３０は、現在のデータ伝送が利用するアップリンク・ダウンリンク・サブフレーム割当方式を確定し、前記アップリンク・ダウンリンク・サブフレーム割当方式に対応するフレーム対応情報を取得し、前記フレーム対応情報によりダウンリンク・サブフレームを選択し、端末に対してアップリンク・サブフレームに対応する電力制御ＴＰＣ指示を送信し、
端末３１は、前記アップリンク・サブフレームを利用してデータを伝送する前に、現在のデータ伝送が利用するアップリンク・ダウンリンク・サブフレーム割当方式を確定し、前記アップリンク・ダウンリンク・サブフレーム割当方式に対応するフレーム対応情報を取得し、前記フレーム対応情報により前記アップリンク・サブフレームに対応するＴＰＣ指示を送信するダウンリンク・サブフレームを確定し、前記確定したダウンリンク・サブフレームより受信したＴＰＣ指示を取得し、前記ＴＰＣ指示により前記アップリンク・サブフレームを利用してデータ伝送を行う電力を確定する。
【００５３】
具体的には、基地局３０は構造ユニット、選択ユニット、及び送信ユニットを含み、そのうち、
構造ユニットは現在のデータ伝送が利用するアップリンク・ダウンリンク・サブフレーム割当方式を確定し、前記アップリンク・ダウンリンク・サブフレーム割当方式に対応するフレーム対応情報を取得し、
選択ユニットは前記フレーム対応情報により端末に対して前記ＴＰＣ指示を送信するダウンリンク・サブフレームを選択し、
送信ユニットは前記選択されたダウンリンク・サブフレームを利用して端末に対して前記ＴＰＣ指示を送信する。
【００５４】
一種の実施形態として、前記選択ユニットは標識ユニットと第一確定ユニットを含み、そのうち、
標識ユニットは、前記フレーム対応情報にアップリンク・サブフレーム標識とダウンリンク・サブフレーム標識の対応関係が含まれた場合、前記アップリンク・サブフレームの標識を取得し、前記対応関係により前記アップリンク・サブフレーム標識に対応するダウンリンク・サブフレーム標識を確定し、
第一確定ユニットは、前記アップリンク・サブフレームの前にある前記確定されたダウンリンク・サブフレーム標識に対応するダウンリンク・サブフレームを、端末に対して前記ＴＰＣ指示を送信するサブフレームとする。
【００５５】
もう一種の実施形態として、前記選択ユニットはパラメータ・ユニットと第二確定ユニットを含み、そのうち、
パラメータ・ユニットは、前記フレーム対応情報にアップリンク・サブフレーム標識とＴＰＣ制御遅延パラメータ値の対応関係が含まれた場合、前記アップリンク・サブフレームの標識を取得し、前記対応関係により前記アップリンク・サブフレーム標識に対応するＴＰＣ制御遅延パラメータ値を確定し、
第二確定ユニットは、前記アップリンク・サブフレームの前にあり、且つ前記アップリンク・サブフレームとの時間間隔が前記確定されたＴＰＣ制御遅延パラメータ値であるダウンリンク・サブフレームを確定し、当該ダウンリンク・サブフレームを端末に対して前記ＴＰＣ指示を送信するサブフレームとする。
【００５６】
端末３１は情報ユニット、サブフレーム・ユニット、指示ユニット、及び電力ユニットを含み、そのうち、
情報ユニットは、前記アップリンク・サブフレームを利用してデータを伝送する前に、現在のデータ伝送が利用するアップリンク・ダウンリンク・サブフレーム割当方式を確定し、前記アップリンク・ダウンリンク・サブフレーム割当方式に対応するフレーム対応情報を取得し、
サブフレーム・ユニットは、前記フレーム対応情報により前記アップリンク・サブフレームに対応するＴＰＣ指示を送信するダウンリンク・サブフレームを確定し、
指示ユニットは、前記確定されたダウンリンク・サブフレームより受信したＴＰＣ指示を取得し、
電力ユニットは、前記ＴＰＣ指示により前記アップリンク・サブフレームを利用してデータを伝送する電力を確定する。
【００５７】
一種の実施形態として、前記サブフレーム・ユニットは第一取得ユニットと第一結果ユニットを含み、そのうち、
第一取得ユニットは、前記フレーム対応情報にアップリンク・サブフレーム標識とダウンリンク・サブフレーム標識の対応関係が含まれた場合、前記アップリンク・サブフレームの標識を取得し、前記対応関係により前記アップリンク・サブフレーム標識に対応するダウンリンク・サブフレーム標識を確定し、
第一結果ユニットは、前記アップリンク・サブフレームの前にある前記確定されたダウンリンク・サブフレーム標識に対応するダウンリンク・サブフレームを、前記アップリンク・サブフレームに対応するＴＰＣ指示を送信するサブフレームとする。
【００５８】
もう一種の実施形態として、前記サブフレーム・ユニットは第二取得ユニットと第二結果ユニットとして、そのうち、
第二取得ユニットは、前記フレーム対応情報にアップリンク・サブフレーム標識とＴＰＣ制御遅延パラメータ値の対応関係が含まれた場合、前記アップリンク・サブフレームの標識を取得し、前記対応関係により前記アップリンク・サブフレーム標識に対応するＴＰＣ制御遅延パラメータ値を確定し、 
第二結果ユニットは、前記アップリンク・サブフレームの前にあり、且つ前記アップリンク・サブフレームとの時間間隔が前記確定されたＴＰＣ制御遅延パラメータ値であるダウンリンク・サブフレームを確定し、当該ダウンリンク・サブフレームを前記アップリンク・サブフレームに対応するＴＰＣ指示を送信するサブフレームとする。
【００５９】
図４を参照して、本発明に係る実施形態は、一種の基地局を提供し、時間分割復信データ伝送システムに利用でき、当該基地局は構造ユニット４０、選択ユニット４１、及び送信ユニット４２を含み、そのうち、
構造ユニット４０は、現在のデータ伝送が利用するアップリンク・ダウンリンク・サブフレーム割当方式を確定し、前記アップリンク・ダウンリンク・サブフレーム割当方式に対応するフレーム対応情報を取得し、
選択ユニット４１は、前記フレーム対応情報により端末に対して電力制御ＴＰＣ指示を送信するダウンリンク・サブフレームを選択し、
送信ユニット４２は、前記選択されたダウンリンク・サブフレームを利用して端末に対して前記ＴＰＣ指示を送信する。
【００６０】
一種の実施形態として、選択ユニット４１は標識ユニット５０と第一確定ユニット５１を含み、そのうち、
標識ユニット５０は、前記フレーム対応情報にアップリンク・サブフレーム標識とダウンリンク・サブフレーム標識の対応関係が含まれた場合、前記アップリンク・サブフレームの標識を取得し、前記対応関係により前記アップリンク・サブフレーム標識に対応するダウンリンク・サブフレーム標識を確定し、
第一確定ユニット５１は、前記アップリンク・サブフレームの前にある前記確定されたダウンリンク・サブフレーム標識に対応するダウンリンク・サブフレームを、端末に対して前記ＴＰＣ指示を送信するサブフレームとする。
【００６１】
もう一種の実施形態として、選択ユニット４１はパラメータ・ユニット５２と第二確定ユニット５３を含み、そのうち、
パラメータ・ユニット５２は、前記フレーム対応情報にアップリンク・サブフレーム標識とＴＰＣ制御遅延パラメータ値の対応関係が含まれた場合、前記アップリンク・サブフレームの標識を取得し、前記対応関係により前記アップリンク・サブフレーム標識に対応するＴＰＣ制御遅延パラメータ値を確定し、
第二確定ユニット５３は、前記アップリンク・サブフレームの前にあり、且つ前記アップリンク・サブフレームとの時間間隔が前記確定されたＴＰＣ制御遅延パラメータ値であるダウンリンク・サブフレームを確定し、当該ダウンリンク・サブフレームを端末に対して前記ＴＰＣ指示を送信するサブフレームとする。
【００６２】
図５を参照して、本発明に係る実施形態は、一種の端末を提供し、時間分割復信データ伝送システムに利用でき、当該端末は、情報ユニット６０、サブフレーム・ユニット６１、指示ユニット６２、及び電力ユニット６３を含み、そのうち、
情報ユニット６０は、アップリンク・サブフレームを利用してデータを伝送する前に、現在のデータ伝送が利用するアップリンク・ダウンリンク・サブフレーム割当方式を確定し、前記アップリンク・ダウンリンク・サブフレーム割当方式に対応するフレーム対応情報を取得し、
サブフレーム・ユニット６１は、前記フレーム対応情報により前記アップリンク・サブフレームに対応する電力制御ＴＰＣ指示を送信するダウンリンク・サブフレームを確定し、
指示ユニット６２は、前記確定されたダウンリンク・サブフレームより受信したＴＰＣ指示を取得し、
電力ユニット６３は、前記ＴＰＣ指示により前記アップリンク・サブフレームを利用してデータを伝送する電力を確定する。
【００６３】
一種の実施形態として、サブフレーム・ユニット６１は第一取得ユニット７０と第一結果ユニット７１を含み、そのうち、
第一取得ユニット７０は、前記フレーム対応情報にアップリンク・サブフレーム標識とダウンリンク・サブフレーム標識の対応関係が含まれた場合、前記アップリンク・サブフレームの標識を取得し、前記対応関係により前記アップリンク・サブフレーム標識に対応するダウンリンク・サブフレーム標識を確定し、
第一結果ユニット７１は、前記アップリンク・サブフレームの前にある前記確定されたダウンリンク・サブフレーム標識に対応するダウンリンク・サブフレームを、前記アップリンク・サブフレームに対応するＴＰＣ指示を送信するサブフレームとする。
【００６４】
もう一種の実施形態として、サブフレーム・ユニット６１は第二取得ユニット７２と第二結果ユニット７３を含み、そのうち、
第二取得ユニット７２は、前記フレーム対応情報にアップリンク・サブフレーム標識とＴＰＣ制御遅延パラメータ値の対応関係が含まれた場合、前記アップリンク・サブフレームの標識を取得し、前記対応関係により前記アップリンク・サブフレーム標識に対応するＴＰＣ制御遅延パラメータ値を確定し、 
第二結果ユニット７３は、前記アップリンク・サブフレームの前にあり、且つ前記アップリンク・サブフレームとの時間間隔が前記確定されたＴＰＣ制御遅延パラメータ値であるダウンリンク・サブフレームを確定し、当該ダウンリンク・サブフレームを前記アップリンク・サブフレームに対応するＴＰＣ指示を送信するサブフレームとする。
【００６５】
本発明に係る実施形態により提供する案において、基地局は配置したサブフレーム対応情報によりダウンリンク・サブフレームを選択してＴＰＣ指示を送信し、端末は配置したサブフレーム対応情報により、対応するダウンリンク・サブフレームより受信したＴＰＣ指示を取得し、当該ＴＰＣ指示により電力確定を行う。ＬＴＥ ＴＤＤシステムにおいて、フレーム対応情報によるＴＰＣ指示の送受信が可能になり、アップリンク電力制御は正確且つ有効的に行われるようになる。
【００６６】
最後に注意すべきことは、前記実施例は本発明の技術的な解決手段の説明だけであり、技術上の制限とはならない。当業者により、上述した実施形態に記述された技術的な解決手段を改造し、またはその中の一部の技術要素を置換することもできる。そのような改造と置換は本発明の各実施例の技術の範囲から逸脱するとは見なされない。
【図１】
2011520335.tif 000003
【図２Ａ】
2011520335.tif 000004
【図２Ｂ】
2011520335.tif 000005
【図２Ｃ】
2011520335.tif 000006
【図３】
2011520335.tif 000007
【図４】
2011520335.tif 000008
【図５】
2011520335.tif 000009
【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
端末が前記アップリンク・サブフレームを利用してデータを伝送する前に、現在のアップリンク・ダウンリンク・サブフレーム割当方式を確定し、前記アップリンク・ダウンリンク・サブフレーム割当方式に対応するフレーム対応情報を取得し、前記フレーム対応情報により前記アップリンク・サブフレームに対応するＴＰＣ指示を送信するダウンリンク・サブフレームを確定し、前記確定したダウンリンク・サブフレームより受信したＴＰＣ指示を取得し、前記ＴＰＣ指示により前記アップリンク・サブフレームを利用してデータ伝送を行う電力を確定することを含み、
そのうち、基地局が現在のアップリンク・ダウンリンク・サブフレーム割当方式を確定し、前記アップリンク・ダウンリンク・サブフレーム割当方式に対応するフレーム対応情報を取得し、前記フレーム対応情報により前記アップリンク・サブフレームのＴＰＣ指示を送信するダウンリンク・サブフレームを確定した後、前記アップリンク・サブフレームに対応するＴＰＣ指示が、前記確定されたダウンリンク・サブフレームを利用して端末に送信される
ことを特徴とする時間分割復信システムにおけるアップリンク伝送電力の確定方法。
【請求項２】
前記アップリンク・サブフレームと前記フレーム対応情報により確定された前記ダウンリンク・サブフレームの間の時間間隔は、前記端末がダウンリンク制御シグナリングに対する処理遅延より大きいか等しい
ことを特徴とする請求項１記載の時間分割復信システムにおけるアップリンク伝送電力の確定方法。
【請求項３】
前記フレーム対応情報にアップリンク・サブフレーム標識とダウンリンク・サブフレーム標識の対応関係が含まれた場合、前記フレーム対応情報によりアップリンク・サブフレームに対応するＴＰＣ指示を送信するダウンリンク・サブフレームを確定することは、
前記アップリンク・サブフレームの標識を取得し、前記対応関係により前記アップリンク・サブフレーム標識に対応するダウンリンク・サブフレーム標識を確定し、前記アップリンク・サブフレームの前にある前記ダウンリンク・サブフレーム標識に対応するダウンリンク・サブフレームを、前記アップリンク・サブフレームに対応するＴＰＣ指示を送信するダウンリンク・サブフレームに確定することを含む
ことを特徴とする請求項１または請求項２記載の時間分割復信システムにおけるアップリンク伝送電力の確定方法。
【請求項４】
前記フレーム対応情報にアップリンク・サブフレーム標識とＴＰＣ制御遅延パラメータ値の対応関係が含まれた場合、前記フレーム対応情報によりアップリンク・サブフレームに対応するＴＰＣ指示を送信するダウンリンク・サブフレームを確定することは、
前記アップリンク・サブフレームの標識を取得し、前記対応関係により前記アップリンク・サブフレーム標識に対応するＴＰＣ制御遅延パラメータ値を確定し、前記アップリンク・サブフレームの前にあり、且つ前記アップリンク・サブフレームとの時間間隔が前記確定されたＴＰＣ制御遅延パラメータ値であるダウンリンク・サブフレームを確定し、当該ダウンリンク・サブフレームをアップリンク・サブフレームに対応するＴＰＣ指示を送信するサブフレームに確定することを含む
ことを特徴とする請求項１または請求項２記載の時間分割復信システムにおけるアップリンク伝送電力の確定方法。
【請求項５】
前記アップリンク・サブフレーム標識とダウンリンク・サブフレーム標識の対応関係は、一対一の対応関係、一対多の対応関係、及び多対一の対応関係の中の一種以上を含む
ことを特徴とする請求項３記載の時間分割復信システムにおけるアップリンク伝送電力の確定方法。
【請求項６】
前記アップリンク・サブフレーム標識とＴＰＣ制御遅延パラメータ値の対応関係は、一対一の対応関係及び一対多の対応関係のうちの少なくとも1つを含む
ことを特徴とする請求項４記載の時間分割復信システムにおけるアップリンク伝送電力の確定方法。
【請求項７】
前記端末がダウンリンク制御シグナリングに対する処理遅延が３ｍｓである場合、前記アップリンク・サブフレーム標識とダウンリンク・サブフレーム標識の対応関係は、
アップリンク・ダウンリンク・サブフレーム割当方式０を採用する場合、アップリンク・サブフレーム２がダウンリンク・サブフレーム５又は特殊サブフレーム６に対応し、アップリンク・サブフレーム３が特殊サブフレーム６に対応し、アップリンク・サブフレーム４がダウンリンク・サブフレーム０に対応し、アップリンク・サブフレーム７がダウンリンク・サブフレーム０又は特殊サブフレーム１に対応し、アップリンク・サブフレーム８が特殊サブフレーム１に対応し、アップリンク・サブフレーム９がダウンリンク・サブフレーム５に対応し、
アップリンク・ダウンリンク・サブフレーム割当方式１を採用する場合、アップリンク・サブフレーム２が特殊サブフレーム６に対応し、アップリンク・サブフレーム３がダウンリンク・サブフレーム９に対応し、アップリンク・サブフレーム７が特殊サブフレーム1に対応し、アップリンク・サブフレーム８がダウンリンク・サブフレーム４に対応し、
アップリンク・ダウンリンク・サブフレーム割当方式２を採用する場合、アップリンク・サブフレーム２がダウンリンク・サブフレーム８に対応し、アップリンク・サブフレーム７がダウンリンク・サブフレーム３に対応し、
アップリンク・ダウンリンク・サブフレーム割当方式３を採用する場合、アップリンク・サブフレーム２がダウンリンク・サブフレーム８に対応し、アップリンク・サブフレーム３がダウンリンク・サブフレーム９に対応し、アップリンク・サブフレーム４がダウンリンク・サブフレーム０に対応し、
アップリンク・ダウンリンク・サブフレーム割当方式４を採用する場合、アップリンク・サブフレーム２がダウンリンク・サブフレーム８に対応し、アップリンク・サブフレーム３がダウンリンク・サブフレーム９に対応し、
アップリンク・ダウンリンク・サブフレーム割当方式５を採用する場合、アップリンク・サブフレーム２がダウンリンク・サブフレーム８に対応し、
アップリンク・ダウンリンク・サブフレーム割当方式６を採用する場合、アップリンク・サブフレーム２がダウンリンク・サブフレーム５に対応し、アップリンク・サブフレーム３が特殊サブフレーム６に対応し、アップリンク・サブフレーム４がダウンリンク・サブフレーム９に対応し、アップリンク・サブフレーム7がダウンリンク・サブフレーム０に対応し、アップリンク・サブフレーム８が特殊サブフレーム１に対応する
ことを特徴とする請求項３記載の時間分割復信システムにおけるアップリンク伝送電力の確定方法。
【請求項８】
アップリンク・ダウンリンク・サブフレーム割当方式０を採用する場合、アップリンク・サブフレーム２がマルチフレーム・スケジューリングの連続する２アップリンク・サブフレームの中の第二のサブフレームであれば、ダウンリンク・サブフレーム５に対応し、そうでなければ、特殊サブフレーム６に対応し、アップリンク・サブフレーム7がマルチフレーム・スケジューリングの連続する２アップリンク・サブフレームの中の第二のサブフレームであれば、ダウンリンク・サブフレーム０に対応し、そうでなければ、特殊サブフレーム1に対応する
ことを特徴とする請求項７記載の時間分割復信システムにおけるアップリンク伝送電力の確定方法。
【請求項９】
前記端末がダウンリンク制御シグナリングに対する処理遅延が３ｍｓである場合、前記アップリンク・サブフレーム標識とＴＰＣ制御遅延パラメータ値の対応関係は、
アップリンク・ダウンリンク・サブフレーム割当方式０を採用する場合、アップリンク・サブフレーム２に対応するＴＰＣ制御遅延パラメータ値は６又は７とし、アップリンク・サブフレーム３に対応するＴＰＣ制御遅延パラメータ値は７とし、アップリンク・サブフレーム４に対応するＴＰＣ制御遅延パラメータ値は４とし、アップリンク・サブフレーム7に対応するＴＰＣ制御遅延パラメータ値は６又は７とし、アップリンク・サブフレーム８に対応するＴＰＣ制御遅延パラメータ値は7とし、アップリンク・サブフレーム９に対応するＴＰＣ制御遅延パラメータ値は４とし、
アップリンク・ダウンリンク・サブフレーム割当方式１を採用する場合、アップリンク・サブフレーム２に対応するＴＰＣ制御遅延パラメータ値は６とし、アップリンク・サブフレーム３に対応するＴＰＣ制御遅延パラメータ値は４とし、アップリンク・サブフレーム7に対応するＴＰＣ制御遅延パラメータ値は６とし、アップリンク・サブフレーム８に対応するＴＰＣ制御遅延パラメータ値は４とし、
アップリンク・ダウンリンク・サブフレーム割当方式２を採用する場合、アップリンク・サブフレーム２に対応するＴＰＣ制御遅延パラメータ値は４とし、アップリンク・サブフレーム7に対応するＴＰＣ制御遅延パラメータ値は４とし、
アップリンク・ダウンリンク・サブフレーム割当方式３を採用する場合、アップリンク・サブフレーム２に対応するＴＰＣ制御遅延パラメータ値は４とし、アップリンク・サブフレーム３に対応するＴＰＣ制御遅延パラメータ値は４とし、アップリンク・サブフレーム４に対応するＴＰＣ制御遅延パラメータ値は４とし、
アップリンク・ダウンリンク・サブフレーム割当方式４を採用する場合、アップリンク・サブフレーム２に対応するＴＰＣ制御遅延パラメータ値は４とし、アップリンク・サブフレーム３に対応するＴＰＣ制御遅延パラメータ値は４とし、
アップリンク・ダウンリンク・サブフレーム割当方式５を採用する場合、アップリンク・サブフレーム２に対応するＴＰＣ制御遅延パラメータ値は４とし、
アップリンク・ダウンリンク・サブフレーム割当方式６を採用する場合、アップリンク・サブフレーム２に対応するＴＰＣ制御遅延パラメータ値は７とし、アップリンク・サブフレーム３に対応するＴＰＣ制御遅延パラメータ値は７とし、アップリンク・サブフレーム４に対応するＴＰＣ制御遅延パラメータ値は５とし、アップリンク・サブフレーム７に対応するＴＰＣ制御遅延パラメータ値は７とし、アップリンク・サブフレーム８に対応するＴＰＣ制御遅延パラメータ値は７とする
ことを特徴とする請求項４記載の時間分割復信システムにおけるアップリンク伝送電力の確定方法。
【請求項１０】
アップリンク・ダウンリンク・サブフレーム割当方式０を採用する場合、アップリンク・サブフレーム２がマルチフレーム・スケジューリングの連続する２アップリンク・サブフレームの中の第一のサブフレームであれば、対応するＴＰＣダウンリンク制御遅延パラメータ値は６とし、そうでなければ、対応するＴＰＣダウンリンク制御遅延パラメータ値は７とし、アップリンク・サブフレーム７はマルチフレーム・スケジューリングの連続する２アップリンク・サブフレームの中の第一のサブフレームであれば、対応するＴＰＣダウンリンク制御遅延パラメータ値は６とし、そうでなければ、対応するＴＰＣダウンリンク制御遅延パラメータ値は７とする
ことを特徴とする請求項９記載の時間分割復信システムにおけるアップリンク伝送電力の確定方法。
【請求項１１】
現在のアップリンク・ダウンリンク・サブフレーム割当方式を確定し、前記アップリンク・ダウンリンク・サブフレーム割当方式に対応するフレーム対応情報を取得し、前記フレーム対応情報によりダウンリンク・サブフレームを選択し、端末に対してアップリンク・サブフレームに対応する電力制御ＴＰＣ指示を送信する基地局と、
前記アップリンク・サブフレームを利用してデータを伝送する前に、現在のアップリンク・ダウンリンク・サブフレーム割当方式を確定し、前記アップリンク・ダウンリンク・サブフレーム割当方式に対応するフレーム対応情報を取得し、前記フレーム対応情報により前記アップリンク・サブフレームに対応するＴＰＣ指示を送信するダウンリンク・サブフレームを確定し、前記確定したダウンリンク・サブフレームより受信したＴＰＣ指示を取得し、前記ＴＰＣ指示により前記アップリンク・サブフレームを利用してデータ伝送を行う電力を確定する端末と
を含むことを特徴とする時間分割復信データ伝送システム。
【請求項１２】
現在のアップリンク・ダウンリンク・サブフレーム割当方式を確定し、前記アップリンク・ダウンリンク・サブフレーム割当方式に対応するフレーム対応情報を取得する構造ユニットと、
前記フレーム対応情報により端末に対してアップリンク・サブフレームに対応する電力制御ＴＰＣ指示を送信するダウンリンク・サブフレームを選択する選択ユニットと、
前記選択したダウンリンク・サブフレームを利用して端末に対して前記ＴＰＣ指示を送信する送信ユニットと、
を含むことを特徴とする基地局。
【請求項１３】
前記選択ユニットは、
前記フレーム対応情報にアップリンク・サブフレーム標識とダウンリンク・サブフレーム標識の対応関係が含まれた場合、前記アップリンク・サブフレームの標識を取得し、前記対応関係により前記アップリンク・サブフレーム標識に対応するダウンリンク・サブフレーム標識を確定する標識ユニットと、
前記アップリンク・サブフレームの前にある前記確定されたダウンリンク・サブフレーム標識に対応するダウンリンク・サブフレームを、端末に対して前記ＴＰＣ指示を送信するサブフレームとする第一確定ユニットと、
を含むことを特徴とする請求項１２記載の基地局。
【請求項１４】
前記選択ユニットは、
前記フレーム対応情報にアップリンク・サブフレーム標識とＴＰＣ制御遅延パラメータ値の対応関係が含まれた場合、前記アップリンク・サブフレームの標識を取得し、前記対応関係により前記アップリンク・サブフレーム標識に対応するＴＰＣ制御遅延パラメータ値を確定するパラメータ・ユニットと、
前記アップリンク・サブフレームの前にあり、且つ前記アップリンク・サブフレームとの時間間隔が前記確定されたＴＰＣ制御遅延パラメータ値であるダウンリンク・サブフレームを確定し、当該ダウンリンク・サブフレームを端末に対して前記ＴＰＣ指示を送信するサブフレームとする第二確定ユニットと、
を含むことを特徴とする請求項１２記載の基地局。
【請求項１５】
アップリンク・サブフレームを利用してデータを伝送する前に、現在のアップリンク・ダウンリンク・サブフレーム割当方式を確定し、前記アップリンク・ダウンリンク・サブフレーム割当方式に対応するフレーム対応情報を取得する情報ユニットと、
前記フレーム対応情報により前記アップリンク・サブフレームに対応する電力制御ＴＰＣ指示を送信するダウンリンク・サブフレームを確定するサブフレーム・ユニットと、
前記確定されたダウンリンク・サブフレームより受信したＴＰＣ指示を取得する指示ユニットと、
前記ＴＰＣ指示により前記アップリンク・サブフレームを利用してデータを伝送する電力を確定する電力ユニットと、
を含むことを特徴とする端末。
【請求項１６】
前記サブフレーム・ユニットは、
前記フレーム対応情報にアップリンク・サブフレーム標識とダウンリンク・サブフレーム標識の対応関係が含まれた場合、前記アップリンク・サブフレームの標識を取得し、前記対応関係により前記アップリンク・サブフレーム標識に対応するダウンリンク・サブフレーム標識を確定する第一取得ユニットと、
前記アップリンク・サブフレームの前にある前記確定されたダウンリンク・サブフレーム標識に対応するダウンリンク・サブフレームを、前記アップリンク・サブフレームに対応するＴＰＣ指示を送信するサブフレームとする第一結果ユニットと、
を含むことを特徴とする請求項１５記載の端末。
【請求項１７】
前記サブフレーム・ユニットは、
前記フレーム対応情報にアップリンク・サブフレーム標識とＴＰＣ制御遅延パラメータ値の対応関係が含まれた場合、前記アップリンク・サブフレームの標識を取得し、前記対応関係により前記アップリンク・サブフレーム標識に対応するＴＰＣ制御遅延パラメータ値を確定する第二取得ユニットと、 
前記アップリンク・サブフレームの前にあり、且つ前記アップリンク・サブフレームとの時間間隔が前記確定されたＴＰＣ制御遅延パラメータ値であるダウンリンク・サブフレームを確定し、当該ダウンリンク・サブフレームを前記アップリンク・サブフレームに対応するＴＰＣ指示を送信するサブフレームとする第二結果ユニットと、
を含むことを特徴とする請求項１５記載の端末。
【国際調査報告】
2011520335.tif 000010
2011520335.tif 000011
2011520335.tif 000012
2011520335.tif 000013